(57)【要約】【課題】  せん断力が加わった場合にも、アウトソールとミッドソールとの間の剥がれを生じさせることなく、シューズソールの軽量化と耐久性、グリップ性とを同時に実現するシューズソールを提供する。【解決手段】弾性体からなるアウトソールと弾性体からなるミッドソールとを含む積層体からなるシューズのソール構造体において、前記アウトソールの底面側に開口する凹部を有し、前記凹部の側面に沿って、前記アウトソールが巻上げ壁を有する。凹部は足裏に加わる荷重が比較的小さい領域内であれば、どの部分に設けても良いが、クッション性という点では、前足部中央部分やヒール中央部分に設けるのが好ましい。【選択図】図５
2005224284.tif 000002
【特許請求の範囲】
【請求項１】
シューズのソール構造体であって、
弾性体からなるアウトソールと弾性体からなるミッドソールとを含む積層体からなり、前記アウトソールの底面側に開口する凹部を有し、前記凹部の側面に沿って、前記アウトソールが巻上げ壁を有することを特徴とするシューズのソール構造体。
【請求項２】
請求項１において、
前記凹部が、前記ソール構造体の前足部中央部分に設けられていることを特徴とするシューズのソール構造体。
【請求項３】
請求項１ないし２のいずれかにおいて、
前記凹部が、前記ソール構造体のヒール中央部分に設けられていることを特徴とするシューズのソール構造体。
【発明の詳細な説明】
【技術分野】
【０００１】
本発明は、弾性体からなるアウトソールと弾性体からなるミッドソールとを含む積層体からなるシューズのソール構造体に関し、軽量化と耐久性、グリップ性とを兼ね備えたものに関する。
【背景技術】
【０００２】
シューズのソール構造体の軽量化を実現するために、様々な構造が提案されている。
【０００３】
例えば、意匠公報１１５４３３２号に示すように、ヒールの中央部分に、その上面がミッドソールの厚みの中間部分に到達する凹部を設け、凹部の重量を軽減するという方法が、実施されていた。図２は、ヒールの中央部分に凹部を設けたシューズのソール構造体における凹部の幅方向の断面図である。
【特許文献１】意匠１１５４３３２号公報
【発明の開示】
【発明が解決しようとする課題】
【０００４】
図３は図２のシューズのソール構造体において、シューズ着用時に凹部付近にせん断力Ｆが加わった場合の模式図である。
図３に示すように、シューズ着用時に、凹部４付近にせん断力Ｆが加わった場合、アウトソール端部２１に加わったせん断力により、アウトソール２とミッドソール３との接着端部５部分が口開きし、アウトソール２とミッドソール３との剥がれが生じるという問題が生じた。
【０００５】
また、剥がれを防止するために、凹部４周辺のミッドソール３を接地面側に露出させるという構造も実施されていた。
図４は、凹部４周辺のミッドソール３を接地面側に露出させた場合の、凹部４周辺の幅方向の断面図である。
この場合には、ミッドソール３を接地面側に露出させる事によりアウトソール２とミッドソール３との接着端部５がミッドソール３で覆われるため、アウトソール２とミッドソール３との剥がれについては、解消された。
しかし、ミッドソール３を露出させる事により、アウトソール２と接地面８との接触領域、すなわちアウトソール２の接地領域が減るため、シューズのソール構造体全体のグリップ性が減少するという問題があった。
【０００６】
本発明は、前記従来の問題を解決するため、せん断力が加わった場合にもアウトソールとミッドソールとの間の剥がれを生じさせることなく、ソール構造体の軽量化と耐久性、グリップ性とを同時に実現することを、目的とする。
【課題を解決するための手段】
【０００７】
前記目的を達成するため、請求項１に記載の発明は、シューズのソール構造体であって、弾性体からなるアウトソールと弾性体からなるミッドソールとを含む積層体からなり、前記アウトソールの底面側に開口する凹部を有し、凹部の側面に沿って、アウトソールが巻上げ壁を有することを特徴とするシューズのソール構造体に関するものである。
【０００８】
また、請求項２に記載の発明は、凹部が、ソール構造体の前足部中央部分に設けられていることを特徴とするシューズのソール構造体に関するものである。
【０００９】
また、請求項３に記載の発明は、凹部が、ソール構造体のヒール中央部分に設けられていることを特徴とするシューズのソール構造体に関するものである。
【発明の効果】
【００１０】
本発明は、せん断力が加わった場合にもアウトソールとミッドソールとの間の剥がれを生じさせることなく、ソール構造体の軽量化と耐久性、グリップ性とを同時に実現する。
【発明を実施するための最良の形態】
【００１１】
以下、本発明の実施態様を添付図面に基づいて説明する。
【００１２】
図１は本発明の一実施態様によるソール構造体１の底面図である。
また、図５は図１におけるＡ―Ａ断面である。
【００１３】
図５に示すように、ソール構造体１は、弾性体からなるアウトソール２と、弾性体からなるミッドソール３とを積層することにより構成されている。積層体の一部として、クッション性や安定性の向上の為に、波形プレート６等を積層してもよい。また、積層したその間にクッションホール７を設けても良い。
【００１４】
凹部４は、ヒール中央部分に設けられており、アウトソール２とミッドソール３を介して、波型プレート６の底面まで貫通している。
凹部４は、軽量化という点で、可能な限り上方まで貫通しているのが好ましい。
なお、本明細書中で、上方とはシューズを着用した場合に着用者の足に近い方とし、下方とは接地面に近い方とする。
【００１５】
アウトソール端部２１は、凹部４の側面４１に沿って、巻上げ壁２２を形成している。
アウトソール端部２１に巻上げ壁２２を形成することによって、巻上げ部２２の高さの分だけアウトソール２とミッドソール３との間の接着領域が増え、かつアウトソール２とミッドソール３との接着端部５が、接地面８とアウトソールとの間に生じる応力の加わるアウトソール端部２１から遠ざかるので、アウトソール２とミッドソール３とは剥がれにくくなる。
よって、このように構成することによって、アウトソール２とミッドソール３との剥がれを生じさせることなく凹部４を設けることが出来、耐久性と凹部４による軽量化とを同時に実現することが出来る。
また、このように構成することによって、アウトソール２の接地領域を減少させなくて良いので、グリップ性を保つことが出来る。
【００１６】
図７は、足の骨格図に、走行動作中に足裏に加わる荷重が比較的大きい部分を示した高荷重領域９、および、足裏に加わる荷重が比較的小さい低荷重領域１０とを重ね合わせた図である。
低荷重領域１０は、足裏に加わる荷重が比較的小さい領域なので、必ずしもグリップ性を必要とする領域ではない。よって、凹部４を設けることによって、ソール構造体１のグリップ性が減少することは少ない。よって、グリップ性を大きく犠牲にすることなく、凹部４の部分の重量だけソール構造体１を軽くすることが出来る。
【００１７】
凹部４は、低荷重領域１０内であればどの部分に設けても良い。
着地時のクッション性を考慮した場合、ヒール中央部分に凹部４を設けることによって、軽量化とグリップ性に加えて着地時のクッション効果も実現する事が出来る。
また、前足部で着地することの多いバレーシューズやバスケットボールシューズにおいては、前足部中央部分に凹部４を設けることによって、同じく軽量化とグリップ性に加えて着地時のクッション効果も実現する事が出来る。
【００１８】
図８は本発明の第２の実施態様によるソール構造体１の底面図である。
図８に示す様に、凹部４を複数設けても良い。凹部４を複数設けることによって、ソール構造体１を、より軽量にすることが出来る。
【００１９】
図９は本発明の第３の実施態様によるソール構造体１の踵部分の断面図である。
図９に示す様に、上方にいくに従って凹部４の断面形状が小さくなるように、凹部４の側面４１に傾斜を設けても良い。傾斜を設けることによって、凹部４への土詰まりが抑制される。
【００２０】
図５に示すように、アウトソール２とミッドソール３の剥がれを効果的に防ぐと言う点で、巻上げ壁２２の高さＨは、３ｍｍ以上が好ましい。なお、軽量化という点では、３ｍｍが好ましい。
【００２１】
長期間使用した場合の摩耗や、貼りあわせ工程における作業のしやすさを考慮した場合、巻上げ壁２２の厚みＤは１．０ｍｍ以上であることが好ましい。なお、軽量化と言う点では、３．５ｍｍ以下が好ましい。
【００２２】
図６は本発明の第４の実施態様によるソール構造体１の踵部分の断面図である。
図６に示す様に、ミッドソール３の巻上げ壁２２と接する部分に突出部３２を設けても良い。突出部３２を設けることによって、製造工程において、アウトソール２をミッドソール３に貼り合わせる際に貼り合わせる位置が分かりやすくなり、製造の簡略化につながる。
突出部３２の突出量Ｄ‘については、軽量化という意味では小さい方が好ましいが、特に定めるものではない。
【００２３】
アウトソール２を構成する材料としては、弾性を有する高分子材料や、天然皮革や人造皮革等が用いられる。弾性を有する高分子材料としては、具体的には、ポリアミドエラストマーや、エチレン−酢酸ビニル共重合体（ＥＶＡ）、ポリウレタン等の熱可塑性樹脂や、ＮＲ（天然ゴム）、ＩＲ(ポリイソプレンゴム)、ＳＢＲ(スチレンブタジエンゴム)、ＢＲ(ブタジエンゴム)、ＮＢＲ(アクリルニトリルブタジエンゴム)、ＣＲ(クロロプレンゴム) などのゴムの一種またはニ種以上を添加したゴムおよびその発泡体や発泡ウレタン等が、用いられる。
【００２４】
ミッドソール２を構成する材料としては、比較的比重が小さく弾性を有する材料が用いられる。具体的には、エチレン−酢酸ビニル共重合体（ＥＶＡ）やエチレン−オクテン共重合体、エチレン−ブテン共重合体等の熱可塑性樹脂の発泡体やポリウレタン（ＰＵ）等の熱硬化性樹脂の発泡体、またはブタジエンラバーやクロロプレンラバー等のラバー素材の発泡体やコルク等が用いられる。
【産業上の利用可能性】
【００２５】
本発明の活用例としては、バレー、バスケット、テニス、卓球等の競技用のスポーツ用シューズは元より、ウォーキングや紳士シューズ、婦人靴等の歩行のみを目的としたシューズでの使用においても好適である。
【図面の簡単な説明】
【００２６】
【図１】本発明の一実施態様によるソール構造体１の底面図である。
【図２】従来のソール構造体における凹部の幅方向の断面図である。
【図３】図２のシューズのソール構造体においてシューズ着用時に凹部付近にせん断力Ｆが加わった場合の模式図である。
【図４】従来のシューズソールにおける凹部周辺の幅方向の断面図である。
【図５】図１におけるＡ―Ａ断面である。
【図６】本発明の第４の実施態様によるソール構造体１の踵部分の断面図である。
【図７】足の骨格図に、走行動作中に足裏に加わる荷重が比較的大きい部分を示した高荷重領域９、および、足裏に加わる荷重が比較的小さい低荷重領域１０とを重ね合わせた図である。
【図８】本発明の第２の実施態様によるソール構造体１の底面図である。
【図９】本発明の第３の実施態様によるソール構造体１の踵部分の断面図である。
【符号の説明】
【００２７】
１：ソール構造体
２：アウトソール
２１：アウトソール端部
２２：巻上げ壁
３：ミッドソール
３１：ミッドソール端部
３２：突出部
４：凹部
４１：側面
５：接着端部
６：波型プレート
７：クッションホール
Ｆ：せん断力
Ｈ：巻上げ壁２２の高さ
Ｄ：巻上げ壁２２の厚み
Ｄ’：突出部３２の突出量
８：接地面
９：高荷重領域
１０：低荷重領域
【図１】
2005224284.tif 000003
【図２】
2005224284.tif 000004
【図３】
2005224284.tif 000005
【図４】
2005224284.tif 000006
【図５】
2005224284.tif 000007
【図６】
2005224284.tif 000008
【図７】
2005224284.tif 000009
【図８】
2005224284.tif 000010
【図９】
2005224284.tif 000011